(57)【要約】【課題】露受皿に連続形成されたファンケーシングに結露が生じないように防止し、クロスフローファンに結露水が滴下しないようにした空気調和機を提供する。【解決手段】本体１の前面上部および上面に形成された吸込口２と、下面前部に形成された吹出口３とを結ぶ空気通路に、前部熱交換器４ａおよび後部熱交換器４ｂからなり、逆Ｖ字状に形成された熱交換器４と、前記前部熱交換器４ａおよび前記後部熱交換器４ｂの下部に夫々対応して設けられた前部露受部５ａおよび後部露受部５ｂと、ファンケーシング６に収容されたクロスフローファン７とを設けなる空気調和機において、前記後部熱交換器４ｂの下端部と前記後部露受部５ｂとの間に、前記本体１上面の吸込口２から吸い込まれた空気の一部を流通させる流通路８を設けた。【選択図】　図１
2004011942.tif 000002
【特許請求の範囲】
【請求項１】
本体の前面上部および上面に形成された吸込口と、下面前部に形成された吹出口とを結ぶ空気通路に、前部熱交換器および後部熱交換器からなり、逆Ｖ字状に形成された熱交換器と、前記前部熱交換器および前記後部熱交換器の下部に夫々対応して設けられた前部露受部および後部露受部と、ファンケーシングに収容されたクロスフローファンとを設けなる空気調和機において、
前記後部熱交換器の下端部と前記後部露受部との間に、前記本体上面の吸込口から吸い込まれた空気の一部を流通させる流通路を設けてなることを特徴とする空気調和機。
【請求項２】
前記後部露受部の前記後部熱交換器の下端部に対向する部位に断熱部材を添設してなることを特徴とする請求項１に記載の空気調和機。
【発明の詳細な説明】
【０００１】
【発明の属する技術分野】
本発明は、空気調和機に係わり、より詳細には、露受皿に連続形成されたファンケーシングに結露が生じないように防止し、クロスフローファンに結露水が滴下しないようにした構造に関する。
【０００２】
【従来の技術】
従来の空気調和機は、例えば図２で示すように、空気調和機本体１の前面上部および上面に形成された吸込口２と、下面前部に形成された吹出口３とを結ぶ空気通路に、前部熱交換器４ａおよび後部熱交換器４ｂからなり、逆Ｖ字状に形成された熱交換器４と、前記前部熱交換器４ａおよび前記後部熱交換器４ｂの下部に夫々対応して設けられた前部露受部５ａおよび後部露受部５ｂと、ファンケーシング６に収容されたクロスフローファン７とが設けられてなる構成であった。
【０００３】
上記構成により、前記クロスフローファン７によって前記吸込口２から吸い込まれた吸込空気は、前記熱交換器４により熱交換されて前記吹出口３に送出されるようになっている。
【０００４】
前記後部熱交換器４ｂの下端部および前記後部露受部５ｂの間には緩衝部材８’が介装されており、これによって該個所が閉塞されることになり、前記吸込空気が前記後部熱交換器４ｂで熱交換されることなく流通することがないようにした構成となっている。
【０００５】
しかしながら、例えば図２で示す矢印ａのように、前記上面の吸込口２から吸い込まれ、前記後部熱交換器４ｂによって熱交換された冷気が前記後部露受部５ｂおよび前記ファンケーシング６の一部を直撃し、該個所を冷気と同じくらいの温度まで冷やすことになり、例えば図２で示す矢印ｂのように、そこへ例えば前記前部熱交換器４ａおよび前記後部熱交換器４ｂの間を通過した少し温度や湿度の高い空気が流入すると、前記後部露受部５ｂおよび前記ファンケーシング６の前面側となる送風路面に結露が発生してしまうという問題点を有していた。
【０００６】
前記送風路面に結露が発生すると、時間が経つにつれて水滴が成長し、最後には水滴が自重により送風路に沿うように流れ出し、前記吹出口３に滴下してしまう恐れがあった。
【０００７】
【発明が解決しようとする課題】
本発明は、上記問題点に鑑み、露受皿に連続形成されたファンケーシングに結露が生じないように防止し、クロスフローファンに結露水が滴下しないようにした空気調和機を提供することを目的とする。
【０００８】
【課題を解決するための手段】
本発明は、上記課題を解決するため、本体の前面上部および上面に形成された吸込口と、下面前部に形成された吹出口とを結ぶ空気通路に、前部熱交換器および後部熱交換器からなり、逆Ｖ字状に形成された熱交換器と、前記前部熱交換器および前記後部熱交換器の下部に夫々対応して設けられた前部露受部および後部露受部と、ファンケーシングに収容されたクロスフローファンとを設けなる空気調和機において、
前記後部熱交換器の下端部と前記後部露受部との間に、前記本体上面の吸込口から吸い込まれた空気の一部を流通させる流通路を設けた構成となっている。
【０００９】
また、前記後部露受部の前記後部熱交換器の下端部に対向する部位に断熱部材を添設した構成となっている。
【００１０】
【発明の実施の形態】
以下、本発明の実施の形態を図面に基づいた実施例として詳細に説明する。
図１は本発明による空気調和機の説明図で、（Ａ）は断面図、（Ｂ）は一実施例を示す要部断面図、（Ｃ）は他の実施例を示す要部断面図である。
【００１１】
本発明による空気調和機は、図１（Ａ）乃至図１（Ｃ）で示すように、本体１の前面上部および上面には吸込口２が形成され、下面前部には吹出口３が形成された構成となっている。
【００１２】
前記吸込口２と、前記吹出口３とを結ぶ空気通路には、前記吸込口２から吸い込まれた吸込空気中に含まれた塵埃を除去するエアフィルタと、前部熱交換器４ａおよび後部熱交換器４ｂからなり、前記エアフィルタを通過した空気を熱交換する逆Ｖ字状に形成された熱交換器４と、ファンケーシング６に収容されたクロスフローファン７とが順次設けられている。
【００１３】
なお、前記前部熱交換器４ａおよび前記後部熱交換器４ｂの下部には、前部露受部５ａおよび後部露受部５ｂが夫々設けられており、これらによって前記前部熱交換器４ａおよび前記後部熱交換器４ｂから滴下する凝縮水を夫々正確に受けることができるようになっている。
【００１４】
そして、前記後部熱交換器４ｂの下端部と前記後部露受部５ｂとの間に、前記本体１上面の吸込口２から吸い込まれた空気の一部を流通させる流通路８を設けた構成となっている。
【００１５】
以上の構成により、次にその動作について説明する。
例えば冷房運転時に、前記上面の吸込口２から吸い込まれた吸込空気が、図１で示す矢印ａのように前記後部熱交換器４ｂを通過し熱交換されて冷気流になる一方、矢印ｃで示すように、前記吸込空気の一部が前記後部熱交換器４ｂを通過することなく、前記冷気流よりも少し温度や湿度が高い空気流として前記流通路８を流通することになる。
【００１６】
これによって、前記後部露受部５ｂおよびこれに連続形成された前記ファンケーシング６が、前記後部熱交換器４ｂを通過した冷気流に直撃される場合よりも少し高い温度になることから、上記に説明した従来技術における矢印ｂのように、そこへ少し温度や湿度の高い空気が流入したとしても、前記後部露受部５ｂおよび前記ファンケーシング６の前面側となる送風路面には結露が発生しにくくなる。
【００１７】
ところで、前記後部露受部５ｂによる熱交換効率を向上させるためには、一実施例として図１（Ｂ）で示した前記流通路８をできるだけ小さく形成して該個所を流通する空気流量を少なくすることが望ましいが、その場合、例えば前記後部露受部５ｂおよび前記ファンケーシング６の温度が冷気の温度と同じくらいに冷やされ、そこへ図１（Ｂ）の矢印ｂで示す少し温度や湿度の高い空気が流入し、前記ファンケーシング６や前記クロスフローファン７に結露が発生してしまう可能性がある。
【００１８】
そこで、他の実施例として図１（Ｃ）で示すように、前記後部熱交換器４ｂに対向する部位であって、前記ファンケーシング６の上面に断熱部材９を添設することにより、前記ファンケーシング６の温度が前記後部熱交換器４ｂで熱交換された冷気の温度ほどには冷やされなくなり、したがって、同ファンケーシング６や前記クロスフローファン７に結露が発生してしまうという恐れがなくなる。
【００１９】
なお、その場合、前記後部熱交換器４ｂおよび前記断熱部材９の間に設けた隙間ｅによって前記流通路８に連なる連通路を形成した構成とすることにより、前記ファンケーシング６の温度が、前記後部熱交換器４ｂで熱交換された冷気の温度ほどには冷やされなくなるという効果が更に顕著なものとなる。
【００２０】
【発明の効果】
以上説明したように、本発明によると、露受皿に連続形成されたファンケーシングに結露が生じないように防止し、クロスフローファンに結露水が滴下しないようにした空気調和機となる。
【図面の簡単な説明】
【図１】本発明による空気調和機の説明図で、（Ａ）は断面図であり、（Ｂ）は一実施例を示す要部断面図であり、（Ｃ）は他の実施例を示す要部断面図である。
【図２】従来例による空気調和機の断面図である。
【符号の説明】
１　空気調和機本体
２　吸込口
３　吹出口
４　熱交換器
４ａ　前部熱交換器
４ｂ　後部熱交換器
５ａ　前部露受部
５ｂ　後部露受部
６　ファンケーシング
７　クロスフローファン
８　流通路
９　断熱部材
ｅ　隙間
【図１】
2004011942.tif 000003
【図２】
2004011942.tif 000004